(57)【要約】【課題】望遠レンズにおいて色収差の補正に樹脂レンズを用いた場合でも屈折率の温度補償が容易で、しかも全系の小型化を図ることができる撮影光学系及びそれを有する撮像装置を得ること。【解決手段】開口絞りを有し、摂氏２０度において前記開口絞りの像側にΔθgFA×φA＜0を満たすレンズＬＡを少なくとも１つ有し、同じく前記開口絞りの像側に、レンズＬＡとは焦点距離の符号が異なるレンズＬＢを少なくとも１つ有し、レンズＬＡの異常部分分散比とレンズＬＡのパワー、レンズＬＢのパワー、を適切にすること。【選択図】図１
2017219645.tif 000002
【特許請求の範囲】
【請求項１】
開口絞りを有し、
摂氏２０度において、前記開口絞りの像側に条件式（１）を満たすレンズＬＡを少なくとも１つ有し、
同じく前記開口絞りの像側に、レンズＬＡとは焦点距離の符号が異なるレンズＬＢを少なくとも１つ有し、
摂氏２０度において、レンズＬＡの異常部分分散比をΔθgFA、レンズＬＡのパワーをφA、レンズＬＢのパワーをφB、無限遠にフォーカス時の全系のパワーをφとする時、
ΔθgFA×φA＜0                        ・・・（１）
0.0272＜│ΔθgFA│＜0.3000            ・・・（２）
2017219645.tif 000018
なる条件を満足することを特徴とする撮影光学系。
【請求項２】
前記撮影光学系は、最も物体側にフォーカス時に固定で正の屈折力を有する第1レンズ群を有し、第1レンズ群よりも像側にフォーカス時に可動で負の屈折力を有する第２レンズ群を有し、第1レンズ群よりも像側に開口絞りを有し、前記開口絞りを境に物体側に位置するレンズの合成屈折力が正であることを特徴とする請求項１に記載の撮影光学系。
【請求項３】
最も物体側にフォーカス時に固定で正の屈折力を有する第１レンズ群を有し、光軸と瞳近軸光線の交わる点より物体側での近軸軸上光線が、レンズ面を通過する光軸からの高さの最大値よりも、光軸と瞳近軸光線の交わる点より像側での近軸軸上光線が、レンズ面を通過する光軸からの高さの最大値の方が小さいことを特徴とする請求項１に記載の撮影光学系。
【請求項４】
前記レンズＬＡと前記レンズＬＢを構成する材料はともに樹脂材料であることを特徴とする請求項１乃至請求項３の何れか一項に記載の撮影光学系。
【請求項５】
摂氏２０度において前記開口絞りから、前記レンズＬＡと前記レンズＬＢのうち前記開口絞りに近い位置に配置されているレンズの物体側面頂点までの光軸上の距離をｄＳＬとし、前記開口絞りから、前記撮影光学系の中で最も像側に配置されているレンズの像側の面頂点までの光軸上の距離をＬＳＰとする。このとき、
0.4 ＜ dSL/LSP＜0.97                ・・・（５）
なる条件を満足することを特徴とする請求項１乃至請求項４の何れか一項に記載の撮影光学系。
【請求項６】
摂氏２０度において、前記レンズＬＡを構成する材料のｄ線基準のアッベ数（レンズＬＡが複数あるときはアッベ数の平均値）をνＡ0、前記レンズＬＢを構成する材料のｄ線基準のアッベ数（レンズＬＢが複数あるときはアッベ数の平均値）をνＢ0とする。このとき、
│νA0−νB0│＜15                  ・・・（６）
なる条件を満足することを特徴とする請求項１乃至５のいずれか１項の撮影光学系。
【請求項７】
摂氏２０度において、前記レンズＬＡを構成する材料のｄ線基準のアッベ数をνＡ、前記レンズＬＢを構成する材料のｄ線基準のアッベ数をνＢとする。このとき、
10＜νA＜40                        ・・・（７）
10＜νB＜40                        ・・・（８）
なる条件を満足することを特徴とする請求項１乃至請求項６の何れか一項に記載の撮影光学系。
【請求項８】
摂氏２０度において、前記レンズＬＡを構成する材料のｄ線の屈折率をＮＡ、前記レンズＬＢを構成する材料のｄ線の屈折率をＮＢとする。このとき、
2.800×10-8×νA4-7.710×10-5×νA3＋6.740×10-4×νA2-2.392×10-2×νA＋1.750＜NA＜3.451×10-8×νA4-1.088×10-5×νA3＋1.247×10-3×νA2-6.350×10-2×νA＋2.707
・・・（９）
2.800×10-8×νB4-7.710×10-5×νB3＋6.740×10-4×νB2-2.392×10-2×νB＋1.750＜NB＜3.451×10-8×νB4-1.088×10-5×νB3＋1.247×10-3×νB2-6.350×10-2×νB＋2.707
・・・（１０）
なる条件を満足することを特徴とする請求項１乃至請求項７の何れか一項記載の撮影光学系。
【請求項９】
摂氏２０度において、前記撮影光学系の第１レンズ群のパワーをφ１、前記撮影光学系において無限遠にフォーカス時の最も物体側のレンズの物体側レンズ面頂点から結像面までの光軸上の距離をＬ、前記撮影光学系において無限遠にフォーカス時の全系のパワーをφとするとき、
2017219645.tif 000019
なる条件を満足することを特徴とする請求項１乃至請求項８の何れか一項に記載の撮影光学系。
【請求項１０】
摂氏２０度において、レンズＬＡの異常部分分散比をΔθgFA、レンズＬＡのパワーをφA、前記レンズＬＡを構成する材料のｄ線基準のアッベ数をνＡ、無限遠にフォーカス時の全系のパワーをφとする時、
2017219645.tif 000020
なる条件を満足することを特徴とする請求項１乃至請求項９の何れか一項に記載の撮影光学系。
【請求項１１】
前記レンズＬＡの物体側のレンズ面の曲率半径をＲ１Ａ、像側のレンズ面の曲率半径をＲ２Ａとする、前記レンズＬＢの物体側のレンズ面の曲率半径をＲ１Ｂ、像側のレンズ面の曲率半径をＲ２Ｂとする（ただし物体側に凸形状となる方向の曲率半径の符号を正とする）、このとき
R1A×R2A ＜0                        ・・・（１３）
R1B×R2B ＜0                        ・・・（１４）
なる条件を同時に満足する、もしくは前記レンズＬＡとレンズＬＢのうち、像側に位置するレンズの形状が物体側に凸形状のメニスカスレンズ、物体側に位置するレンズの形状が像側凸形状のメニスカスレンズであることを特徴とする請求項１乃至請求項１０の何れか一項に記載の撮影光学系。
【請求項１２】
請求項１乃至請求項１１の何れか一項に記載の撮影光学系と前記撮影光学系によって形成された像を受光する撮像素子とを有することを特徴とする撮像装置。
【発明の詳細な説明】
【技術分野】
【０００１】
本発明は、撮影光学系及びそれを有する撮像装置に関し、例えば固体撮像素子を用いたビデオカメラ、デジタルスチルカメラ、ＴＶカメラ、監視用カメラや銀塩フィルムを用いたフィルム用カメラ等に好適なものである。
【背景技術】
【０００２】
長焦点距離の撮影光学系として、物体側から像側へ順に、正の屈折力を有する前方レンズ群と、負の屈折力を有する後方レンズ群より成る、所謂望遠タイプの撮影光学系（望遠レンズ）が知られている。ここで長焦点距離とは例えば有効撮像範囲の寸法に比べて長い焦点距離のことをいう。一般的に焦点距離の長い望遠レンズでは、焦点距離が延びるにしたがって、諸収差のうち、特に軸上色収差及び倍率色収差等の色収差が多く発生してくる。
【０００３】
これらの色収差を、蛍石や商品名S-FPL51（オハラ社製）等の異常部分分散性を持った低分散材料を用いた正レンズと、高分散材料を用いた負レンズとを組み合わせて補正した（色消しを行った）望遠レンズが種々提案されている。
【０００４】
特許文献１は、焦点距離２９４ｍｍ〜５８８ｍｍでＦナンバー２．８８〜４．０８程度の大口径比の望遠レンズを開示している。特許文献２では、望遠レンズにおいて、後方レンズ群に異常部分分散比の大きな材料からなる光学素子を用いて倍率色収差を良好に補正している。特許文献３は、異常部分分散比の大きな有機材料を用いて、屈折率の温度依存特性を考慮しつつも色収差を良好に補正した光学系を開示している。
【０００５】
また多くの撮影レンズ（光学系）において無限遠物体から近距離物体へのフォーカシングは、撮影レンズ全体を移動させたり、若しくは撮影レンズの一部のレンズ群を移動させたりして行っている。このうち焦点距離の長い望遠レンズの場合は、レンズ全体が大型となり、又、重くなるため、望遠レンズ全体を移動させてフォーカスを行うのが機構的に困難である。
【０００６】
このため、従来より、望遠レンズでは一部のレンズ群を移動させてフォーカスを行っているものが多い。このうち前方レンズ群以外の比較的小型でしかも軽量の光学系の中央部分の一部のレンズ群を移動させてフォーカスを行ったインナーフォーカス式を用いている。特許文献１乃至３の望遠レンズでは、何れも、物体側より順に、正の屈折力の第１レンズ群、負の屈折力の第２レンズ群を有し、第２レンズ群を光軸上を像面側へ移動させてフォーカスを行っている。
【先行技術文献】
【特許文献】
【０００７】
【特許文献１】特開平８−３２７８９７号公報
【特許文献２】特開２００９−１３９５４３号公報
【特許文献３】特開２００９−２７１１６６号公報
【発明の概要】
【発明が解決しようとする課題】
【０００８】
望遠レンズは、一般に、焦点距離を長くするにつれてレンズ系全体が大型化してくる。このため望遠レンズにおいてはレンズ系全体の小型化を図ること、そして焦点距離を長くすることによって発生する諸収差のうち、特に色収差を良好に補正することが重要になってくる。更にフォーカシングを前方レンズ群以外の小型軽量のレンズ群で迅速に、しかも駆動装置の負担を少なくして行うことが重要になってくる。
【０００９】
一般に、望遠レンズにおいて、焦点距離が長くなるにつれて、特に正の屈折力の前方レンズ群が大型化してくる。このため、望遠レンズにおいては正の屈折力の前方レンズ群のレンズ構成を適切に設定することが全系の小型化を図りつつ、かつ色収差を良好に補正し、高い光学性能を得るのに重要になってくる。前方レンズ群のレンズ構成が不適切であると全系が大型化し、諸収差が増大し高い光学性能を得るのが大変困難になる。
【００１０】
しかしながら、ある一定の全長以上に小型化を図ろうとすると、前方レンズ群だけでは色収差を補正しきれずに残存してしまう。具体的には軸上色収差と倍率色収差の両方を前方レンズ群だけで補正することが難しくなってしまい、どちらかが残存してしまう。
【００１１】
このため、軸上色収差と倍率色収差の両方を良好に補正しようとすると、特許文献２のようにすると良いことが知られている。具体的には、前方レンズ群に蛍石に代表されるような異常部分分散比の大きな材料からなる正レンズで軸上色収差と倍率色収差を補正する。そして、開口絞りよりも像側のレンズ群に高分散で、かつ異常部分分散比の大きな樹脂材料からなる光学素子を負のパワーで配置して倍率色収差を補正すると良い。
【００１２】
しかしながら、望遠レンズの小型化（全長短縮）においては、特許文献２のような構成にすると、前記樹脂材料からなる光学素子に非常に大きなパワーをつける必要がある。このため、温度による屈折率変化によって引き起こされる結像性能の劣化が無視できなくなる。
【００１３】
また特許文献３に挙げたように、異常部分分散比の大きな樹脂材料からなる光学素子を含めた複数の樹脂材料からなる光学素子を異符号のパワーで組み合わせて使用すれば、色収差補正と前記光学素子の屈折率の温度補償が可能である。
【００１４】
しかしながら、望遠レンズの小型化（全長短縮）においては、前述のように前記樹脂材料からなる光学素子に非常に大きなパワーをつける必要があるため、特許文献３に開示されている温度補償の技術では不足であり、更なる改善が必要であった。
【００１５】
本発明は、望遠レンズにおいて色収差の補正に樹脂レンズを用いた場合でも屈折率の温度補償が容易で、しかも全系の小型化を図ることができる撮影光学系及びそれを有する撮像装置を提供することを目的とする。
【課題を解決するための手段】
【００１６】
上記の目的を達成するために、本発明に係る撮影光学系は、
開口絞りを有し、摂氏２０度において、前記開口絞りの像側に条件式（１）を満たすレンズＬＡを少なくとも１つ有し、同じく前記開口絞りの像側に、レンズＬＡとは焦点距離の符号が異なるレンズＬＢを少なくとも１つ有し、摂氏２０度において、レンズＬＡの異常部分分散比をΔθgFA、レンズＬＡのパワーをφA、レンズＬＢのパワーをφB、無限遠にフォーカス時の全系のパワーをφとする時、
ΔθgFA×φA＜0            ・・・（１）
0.0272＜│ΔθgFA│＜0.3000      ・・・（２）
2017219645.tif 000003
【００１７】
なる条件を満足することを特徴とする。
【発明の効果】
【００１８】
本発明によれば、望遠レンズにおいて色収差の補正に樹脂レンズを用いた場合でも屈折率の温度補償が容易で、しかも全系の小型化を図ることができる撮影光学系及びそれを有する撮像装置が得られる。
【図面の簡単な説明】
【００１９】
【図１】（Ａ），（Ｂ），（Ｃ），（Ｄ）  本発明の実施例１の撮影光学系の物体距離無限遠時におけるレンズ断面図と各環境温度での収差図
【図２】（Ａ），（Ｂ），（Ｃ），（Ｄ）  本発明の実施例２の撮影光学系の物体距離無限遠時におけるレンズ断面図と各環境温度での収差図
【図３】（Ａ），（Ｂ），（Ｃ），（Ｄ）  本発明の実施例３の撮影光学系の物体距離無限遠時におけるレンズ断面図と各環境温度での収差図
【図４】（Ａ），（Ｂ），（Ｃ），（Ｄ）  本発明の実施例４の撮影光学系の物体距離無限遠時におけるレンズ断面図と各環境温度での収差図
【図５】本発明の撮像装置の説明図
【図６】本発明に係る条件式（２）の範囲を説明する図
【図７】本発明に係る条件式（７）〜（１０）の範囲を説明する図
【図８】一般硝材の波長による屈折率変化を表すグラフ
【図９】本発明の撮影光学系の光学作用を説明するための近軸配置概略図
【発明を実施するための形態】
【００２０】
以下に本発明の好ましい実施の形態を、添付の図面に基づいて詳細に説明する。
【００２１】
各実施例の撮影光学系Ｌ０は望遠レンズより成り、その特徴とする構成は次のとおりである。
【００２２】
各実施例において、開口絞りを有し、摂氏２０度において、前記開口絞りの像側に条件式（１）を満たすレンズＬＡを少なくとも１つ有し、同じく前記開口絞りの像側に、レンズＬＡとは焦点距離の符号が異なるレンズＬＢを少なくとも１つ有し、摂氏２０度において、レンズＬＡの異常部分分散比をΔθgFA、レンズＬＡのパワーをφA、レンズＬＢのパワーをφB、無限遠にフォーカス時の全系のパワーをφとする時、
ΔθgFA×φA＜0                  ・・・（１）
0.0272＜│ΔθgFA│＜0.3000      ・・・（２）
2017219645.tif 000004
【００２３】
なる条件を満足している。ただしアッベ数νdA、部分分散比差ΔθgFAは、前記光学素子Ａを構成する材料のｄ線における屈折率をＮdA、ｇ線における屈折率をＮgA、Ｃ線における屈折率をＮCA、Ｆ線における屈折率をＮFAとすると次に示す式で定義するものである。
【００２４】
νdA＝（ＮdA−1）／（ＮFA−ＮCA）
θgFA＝（ＮgA−ＮFA）／（ＮFA−ＮCA）
θgF0＝−１.665×10-7×νdA3＋5.213×10-5×νdA2−5.656×10-3×νdA＋0.7278
ΔθgFA＝θgFA−θgF0
本発明の撮影光学系は、物体側から像側へ順に、正の屈折力の第１レンズ群、フォーカスのために光軸方向に移動する負の屈折力の第２レンズ群、正又は負の屈折力の第３レンズ群を有している。図９は撮影光学系Ｌ０の近軸屈折力配置の摸式図である。図９では撮影光学系Ｌ０においてリアフォーカシング（インナーフォーカシング）を想定したときの基準状態（無限遠物体合焦状態）での光学作用を説明するための近軸屈折力配置を示している。
【００２５】
図中Ｌ１は正の屈折力の第１レンズ群、Ｌ２はフォーカシングのために光軸方向へ移動する負の屈折力の第２レンズ群である。Ｌ３は正又は負の屈折力を有する第３レンズ群であるが、この図においては詳細を省略している。ＬＸは光軸である。ＩＰは像面である。Ｐは軸上近軸光線、そしてＱは瞳近軸光線である。ＳＰは開口絞りである。
【００２６】
一般的に望遠レンズにおいて、軸上近軸光線Ｐのレンズへの入射高さは、光軸ＬＸと瞳近軸光線Ｑの交わる点ＳＰＸ(理想的な開口絞り位置)より物体側で高く、像側で低くなっている。望遠レンズはこのようにいわゆるテレフォトタイプ（望遠タイプ）の構成をとっている。
【００２７】
このとき、焦点距離ｆが長く、ＦナンバーＦｎｏが小さい（焦点距離ｆとＦナンバーＦｎｏーの比が大きい）望遠レンズにおいて全長を短縮すると次のような課題が生じてくる。ここで望遠レンズとは、例えば焦点距離ｆ＝６００ｍｍ、ＦナンバーＦｎｏ＝４．０や焦点距離ｆ＝８００ｍｍ、ＦナンバーＦｎｏ＝５．６のものを示す。
【００２８】
第１レンズ群に蛍石や回折光学素子を使用して色収差を補正しつつ第１レンズ群のパワーを強くして、ある程度以上にレンズ全長を短縮して行くと、軸上色収差と倍率色収差の補正バランスが崩れてくる。例えば軸上色収差を十分に補正しようとすると、倍率色収差が補正不足になってしまう。特にｇ線とＦ線との間の倍率色収差が十分に補正することができない。
【００２９】
通常のフルハイビジョン（画素数1920×1080、画素サイズ数μm）相当に表示するための画質であれば、多少の色収差が許容される。しかし、画素数のアップや画素サイズの縮小による高画質化を考慮すると、軸上色収差と倍率色収差の補正を十分に行うことが必要になってくる。
【００３０】
そこで、各実施例では次のようにしている。
【００３１】
開口絞りＳＰより像側にレンズＬＡとレンズＬＢを少なくとも１つずつ配置した。パワーの符号はレンズＬＡとレンズＬＢで逆である。前記レンズＬＡは、条件式（１）乃至（３）を満たしており、前記レンズＬＡとレンズＬＢのパワーの関係は条件式（４）を満たしている。これにより前記レンズＬＡとレンズＬＢとの間の温度補償を行いつつ、ｇ線とＦ線との間の倍率色収差の補正を行っている。
【００３２】
まずこのときの色収差補正のメカニズムについて説明する。
【００３３】
図９の近軸屈折力配置のモデルに示すような撮影光学系Ｌ０において、瞳近軸光線Ｑが光軸ＬＸと交わる位置ＳＰＸよりも物体側では、軸上近軸光線Ｐがレンズ面に光軸ＬＸから高い位置を通過するため、像面側のレンズよりも軸上色収差が多く発生する。また瞳近軸光線Ｑが光軸ＬＸと交わる位置ＳＰＸから物体側（又は像側）へ行けば行くほど軸外主光線がレンズの周辺部分を通過するため、倍率色収差が多く発生する。
【００３４】
そのため、瞳近軸光線Ｑが光軸ＬＸと交わる位置ＳＰＸよりも物体側（特に第１レンズ群）に異常分散特性を有する材料からなるレンズや回折光学素子などの色収差補正用の光学素子を配置することで、軸上色収差と倍率色収差の両方を補正することができる。こうすることで軸上色収差と倍率色収差それぞれのＣ線とＦ線との間の色収差補正とｇ線とＦ線との間の色収差補正を行うことができる。
【００３５】
しかしながら、レンズ全長の短縮のために第１レンズ群のパワーを強めてくと、特にｇ線とＦ線との間の色収差量が増大してくる。これは図８に示すように、レンズに使われるような一般的な光学材料は、分散の違いで大きさは異なるが短波長になればなるほど屈折率の変化が大きくなっているからである。一般に第１レンズ群内の正レンズは、軸上色収差と倍率色収差の両方のＣ線とＦ線との間とｇ線とＦ線との間の色収差をバランスよく補正しようとして異常分散性の大きい材料を多く使用している。
【００３６】
第１レンズ群のパワーを更に強めていくと、軸上色収差と倍率色収差の補正の寄与率が異なるために、第１レンズ群に配置したガラス材料や回折光学素子だけでは軸上色収差と倍率色収差の両方についてｄ、ｇ、Ｃ、Ｆの４波長の色収差補正を行うことが難しくなる。特に、軸上色収差を十分に補正しようとすると、ｇ線とＦ線との間の倍率色収差が補正不足になってしまう。
【００３７】
そこで、開口絞りＳＰより像側に条件式（１）、（２）、（３）を満足する少なくとも１つのレンズＬＡを配置する（条件式の技術的意味は後述する）。これにより軸上色収差に与える影響を少なくしながら、ｇ線とＦ線との間の倍率色収差を補正することで全系として色収差を良好に補正している。各実施例ではこのようにすることで、全体として小型で高画質な画像が得られる撮影光学系を構成している。
【００３８】
次にこのときの温度補償のメカニズムについて説明する。
【００３９】
物質は一般的に温度が上がると膨張し、下がると収縮する。光学材料も同様に膨張収縮する。これにより屈折率も変化する。具体的には温度が上がり、膨張すると屈折率は下がり、逆に収縮すると屈折率は上がる。この条件をレンズに当てはめると、正レンズの場合は、屈折率が上がるとパワーが増大し、屈折率が下がるとパワーが減少する。負レンズの場合も同様である。この現象が光学系に与える影響の一つに結像位置の変化が挙げられる。
【００４０】
通常はフォーカスレンズ群を動かして、ピントを合わせ直せば良いのであるが、フォーカシング機構の両端（無限端や至近端）では機構上それ以上動かせない場合がある。レンズの材料がすべてガラス材料で構成されている場合は、温度による屈折率変化が樹脂のそれよりも一桁以上小さいために、フォーカシング機構の両端でも微小の屈折率変化に対応できるよう少しの余裕量を持たせて設計するだけで良い。
【００４１】
しかしながら、樹脂材料のような温度による屈折率変化が非常に大きい材料をレンズとして用いる場合は、非常に大きな余裕量を考えねばならず、機構が大型化してしまう。
【００４２】
そこで、複数のレンズによってこの屈折率の温度変化をキャンセルできる構成とし、温度変化があっても機構を大型化せずに実現できるようにしたものが本発明である。具体的には、開口絞りＳＰより像側に条件式（４）を満足する少なくとも１つのレンズＬＢを配置した。こうすることにで、温度変化によって前記レンズＬＡとレンズＬＢの屈折率が変化したことにより、レンズＬＡやレンズＬＢのパワーが変化したとしても、その変化量をキャンセルすることができる。
【００４３】
次に前述の各条件式の技術的意味について説明する。
【００４４】
条件式（１）は撮影光学系Ｌ０のレンズＬＡのパワーとレンズＬＡを構成する材料の異常部分分散比に関する。条件式（１）の上限値を超えるということは、レンズＬＡのパワーとレンズＬＡを構成する材料の異常部分分散比が同符号ということである。そうすると、ｇ線とＦ線間の倍率色収差が増大する方向となり好ましくない。課題を解決するためにはレンズＬＡのパワーとレンズＬＡを構成する材料の異常部分分散比の符号が異符号である必要がある。
【００４５】
条件式（２）は前記レンズＬＡを構成する材料の異常部分分散比に関する。条件式の示す範囲を図６に示す。条件式（２）の上限値を超えると、微小なパワーによりｇ線とＦ線間の倍率色収差を補正できるという利点はあるが、パワーと倍率色収差補正量との関係の敏感度が高くなってしまい、製造が困難になってしまうので好ましくない。また条件式（２）の下限値は超えると、ｇ線とＦ線間の倍率色収差を補正するために必要なパワーが大きくなってしまい、倍率色収差以外の収差の補正が困難になってしまうため好ましくない。条件式（２）は更に好ましくは次の如く設定するのが良い。
【００４６】
0.0350＜ │ΔθgFA│ ＜ 0.2600        ・・・（２ａ）
また条件式（２ａ）は更に好ましくは次の如く設定するのが良い。
【００４７】
0.0400＜ │ΔθgFA│ ＜ 0.2500        ・・・（２ｂ）
条件式（２）を満足するレンズＬＡを構成する材料（以下「光学材料」ともいう。）の具体例としては、例えば樹脂がある。様々な樹脂の中でも特にＵＶ硬化樹脂（Ｎｄ＝１．６３５，νｄ＝２２．７，θｇＦ＝０．６９）やＮ−ポリビニルカルバゾール（Ｎｄ＝１．６９６，νｄ＝１７．７，θｇＦ＝０．６９）は条件式（２）を満足する光学材料である。尚、条件式（２）を満足する樹脂であれば、これらに限定するものではない。
【００４８】
また、一般の硝材とは異なる特性を持つ光学材料として、下記の無機酸化物ナノ微粒子（無機微粒子）を合成樹脂（透明媒体）中に分散させた混合体がある。無機酸化物の例としては、ＴｉＯ2（Ｎｄ＝２．３０４，νｄ＝１３．８），Ｎｂ2Ｏ5（Ｎｄ＝２．３６７，νｄ＝１４．０）がある。またＩＴＯ(Indium Tin Oxide)（Ｎｄ＝１．８５７１，νｄ＝５．６８），Ｃｒ2Ｏ3（Ｎｄ＝２．２１７８，νｄ＝１３．４），ＢａＴｉＯ3（Ｎｄ＝２．４３６２，νｄ＝１１．３）等がある。
【００４９】
これらの無機酸化物の中では、ＴｉＯ2（Ｎｄ＝２．３０４，νｄ＝１３．８，θｇＦ＝０．８７）微粒子を合成樹脂中に適切なる体積比で分散させた場合、上記条件式（２）を満足する光学材料が得られる。
【００５０】
ＴｉＯ2は様々な用途で使われる材料であり、光学分野では反射防止膜などの光学薄膜を構成する蒸着用材料として用いられている。他にも光触媒、白色顔料などとして、またＴｉＯ2微粒子は化粧品材料として用いられている。また上記の無機酸化物の中でＩＴＯ微粒子（Ｎｄ＝１．８５７１、νｄ＝５．６８、θｇＦ＝０．２９）を合成樹脂中に適切なる体積比で分散させた場合も上記条件式（２）を満足する光学材料が得られる。ＩＴＯは、一般的には透明電極を構成する材料として知られており、通常、液晶表示素子、ＥＬ素子等、他の用途として赤外線遮蔽素子、紫外線遮断素子に用いられている。
【００５１】
各実施例において合成樹脂に分散させるＴｉＯ2微粒子やＩＴＯ微粒子の平均径は、散乱などの影響を考えると２ｎｍ〜５０ｎｍ程度がよく、凝集を抑えるために分散剤などを添加しても良い。またＴｉＯ2やＩＴＯを分散させる合成樹脂材料としては、ポリマーが良く、成形型等を用いて光重合成形または熱重合成形することにより高い量産性を得ることができる。
【００５２】
そして、合成樹脂の光学定数の特性としても、部分分散比が比較的大きい合成樹脂、あるいはアッベ数が比較的小さい合成樹脂か、両者を満たす合成樹脂が良く、Ｎ−ポリビニルカルバゾール、スチレン、ポリメタクリル酸メチル（アクリル）、などが適用できる。後述する実施例ではこれらの微粒子を分散させる合成樹脂としてＵＶ硬化樹脂を用いている。しかし、これに限定するものではない。
【００５３】
ナノ微粒子を分散させた混合体の分散特性Ｎ（λ）は、良く知られたＤｒｕｄｅの式から導きだされた次式によって簡単に計算することができる。即ち、波長λにおける屈折率Ｎ（λ）は、
Ｎ(λ)＝［１＋Ｖ｛ＮM2(λ)−１｝＋（１−Ｖ）｛ＮP2(λ)−１｝］1/2‥‥‥（Ａ）
である。ここで、λは任意の波長、ＮMはＴｉＯ2やＩＴＯの屈折率、ＮPは合成樹脂の屈折率、Ｖは合成樹脂体積に対するＴｉＯ2微粒子やＩＴＯ微粒子の総体積の分率である。
【００５４】
しかしながら、樹脂材料は一般的に温度による屈折率変化がガラス材料よりも大きい。前記樹脂材料の０℃〜４０℃の温度範囲における温度変化に対するｄ線に関する屈折率の変化の平均値の絶対値を│dn/dT│で示すと、具体的には、
│dn/dT│＞5.0×10-5      ‥‥‥（Ｂ）
を満たしている。
【００５５】
前記レンズＬＡの材料としてこのような樹脂を用いる場合は温度による屈折率変化を後述する前記レンズＬＢにてキャンセルするように配置させる必要がある。そうすることで、周辺の温度変化によって引き起こされる屈折率変化による結像特性の劣化を低減させることができる。以下に述べる各条件式のパラメータは全て摂氏２０度を基準とした数値である。
【００５６】
条件式（３）は、レンズＬＡのパワー（レンズＬＡが複数ある時はパワーの総和）に関する。条件式（３）の上限値を超えると、レンズＬＡのパワーの絶対値が大きすぎる。そうすると、ｇ線とＦ線の間の倍率色収差が過補正となり、ｇ線、Ｆ線、Ｃ線の各波長での倍率色収差の補正バランスがとれなくなるため好ましくない。また条件式（３）の下限値は超えると、レンズＬＡのパワーの絶対値が小さすぎる。そうすると、特にｇ線とＦ線の間の倍率色収差が補正不足となり、色収差が残存してしまうため好ましくない。条件式（３）は更に好ましくは次の如く設定するのが良い。
2017219645.tif 000005
【００５７】
また条件式（３ａ）は更に好ましくは次の如く設定するのが良い。
2017219645.tif 000006
【００５８】
条件式（４）は、レンズＬＡのパワー（レンズＬＡが複数ある時はパワーの総和）とレンズＬＢのパワー（レンズＬＢが複数ある時はパワーの総和）に関する。条件式（４）の上限値（または下限値）を超えると、レンズＬＡのパワーとレンズＬＢのパワーに偏りが生じることになる。そうすると、周辺の温度変化によって引き起こされるレンズＬＡとレンズＬＢの屈折率変化から生じる各レンズのパワー変化を打ち消すことができず残存してしまう。そうなると、結像面位置や収差の変化が大きくなってしてしまい、結像性能が劣化するため好ましくない。条件式（４）は更に好ましくは次の如く設定するのが良い。
2017219645.tif 000007
【００５９】
また条件式（４ａ）は更に好ましくは次の如く設定するのが良い。
2017219645.tif 000008
【００６０】
以上のような構成とすることで本発明の目的とする撮影光学系は達成されるが、更に好ましくは次に述べる条件のうち少なくとも１つを満足するのが良く、これによれば更なるレンズ全長の短縮効果と高い光学性能が容易に得られる。
【００６１】
前記撮影光学系は、最も物体側にフォーカス時に固定で正の屈折力を有する第１レンズ群Ｌ１を有し、第１レンズ群Ｌ１よりも像側にフォーカス時に可動で負の屈折力を有する第２レンズ群Ｌ２を有し、第１レンズ群Ｌ１よりも像側に開口絞りＳＰを有している。そして前記開口絞りＳＰを境に物体側に位置するレンズの合成屈折力が正となっていることが好ましい。
【００６２】
もしくは、最も物体側にフォーカス時に固定で正の屈折力を有する第１レンズ群Ｌ１を有している。そして光軸ＬＸと瞳近軸光線Ｑの交わる点ＳＰＸより物体側での近軸軸上光線Ｐがレンズ面を通過する光軸ＬＸからの高さの最大値よりも、光軸ＬＸと瞳近軸光線Ｑの交わる点より像側での近軸軸上光線Ｐがレンズ面を通過する光軸からの高さの最大値の方が小さいことが好ましい。
【００６３】
このような構成とすることで、結像性能を維持しつつ全長を短くすることが容易となり、フォーカシングを行うためのレンズについては、レンズ径を小さくすることができる。また開口絞りＳＰについても正の屈折力を有している第１レンズ群Ｌ１の像側に配置することで、開口絞り径を小さくすることができるため、絞りユニットも小型化が可能となる。
【００６４】
前記レンズＬＡと前記レンズＬＢを構成する材料はともに樹脂材料であることが好ましい。樹脂材料であれば、後述するような異常部分分散比の大きい材料が使用できるため、倍率色収差（特にｇ線とＦ線の間の倍率色収差）の補正を容易に行うことができる。
【００６５】
また、前記開口絞りＳＰから、前記レンズＬＡと前記レンズＬＢのうち前記開口絞りＳＰに近い位置に配置されているレンズの物体側面頂点までの光軸上の距離をｄＳＬ、前記開口絞りＳＰから前記撮影光学系Ｌ０の中で最も像側に配置されているレンズの像側の面頂点までの光軸上の距離をＬＳＰとする。（ただし光学的にパワーを持たないガラスブロック等の光学部材はレンズとはみなさないものとする。）前記レンズＬＡを構成する材料のｄ線基準の屈折率とアッベ数をＮＡ、νＡ、前記レンズＬＢを構成する材料のｄ線基準の屈折率とアッベ数をＮＢ、νＢとする。
【００６６】
前記レンズＬＡが複数あるときの前記レンズＬＡを構成する材料のｄ線基準のアッベ数の平均値をνＡ０（前記レンズＬＡが１つしかないときはνＡ０＝νＡ）とする。前記レンズＬＢが複数あるときの前記レンズＬＢを構成する材料のｄ線基準のアッベ数の平均値をνＢ０（前記レンズＬＢが１つしかないときはνＢ０＝νＢ）
前記撮影光学系Ｌ０の第１レンズ群Ｌ１のパワーをφ１、前記撮影光学系Ｌ０において無限遠にフォーカス時の全系のパワーをφ、前記撮影光学系Ｌ０において無限遠にフォーカス時の最も物体側のレンズの物体側レンズ面頂点から結像面までの光軸上の距離をＬとする。レンズＬＡの異常部分分散比をΔθgFA、レンズＬＡのパワーをφA、とする。
【００６７】
このとき次の条件式のうち１以上を満足するのが良い。
0.40 ＜ dSL/LSP＜0.97        ・・・（５）
│νA0−νB0│＜15            ・・・（６）
10＜νA＜40                  ・・・（７）
10＜νB＜40                  ・・・（８）
2.800×10-8×νA4-7.710×10-5×νA3＋6.740×10-4×νA2-2.392×10-2×νA＋1.750＜NA＜3.451×10-8×νA4-1.088×10-5×νA3＋1.247×10-3×νA2-6.350×10-2×νA＋2.707
・・・（９）
2.800×10-8×νB4-7.710×10-5×νB3＋6.740×10-4×νB2-2.392×10-2×νB＋1.750＜NB＜3.451×10-8×νB4-1.088×10-5×νB3＋1.247×10-3×νB2-6.350×10-2×νB＋2.707
・・・（１０）
2017219645.tif 000009
【００６８】
ただしΣは総和を表し、nは前記レンズＬＡの枚数を表し、iは前記レンズＬＡが複数ある場合の物体側から順につけた番号である。また、前記レンズＬＡの物体側のレンズ面の曲率半径をＲ１Ａ、像側のレンズ面の曲率半径をＲ２Ａ、前記レンズＬＢの物体側のレンズ面の曲率半径をＲ１Ｂ、像側のレンズ面の曲率半径をＲ２Ｂとする（ただし物体側に凸形状となる方向の曲率半径の符号を正とする）。
【００６９】
このとき、次なる条件式（１３）と（１４）を同時に満足するか、もしくは前記レンズＬＡとレンズＬＢのうち、像側に位置するレンズの形状が物体側に凸形状のメニスカスレンズ、物体側に位置するレンズの形状が像側凸形状のメニスカスレンズであることが好ましい。
R1A×R2A ＜0      ・・・（１３）
R1B×R2B ＜0      ・・・（１４）
条件式（５）は前記レンズＬＡとレンズＬＢの配置位置に関する。条件式（５）の上限値を超えると、前記レンズＬＡとレンズＬＢのうち片方を配置するスペースがなくなってしまうため好ましくない。
【００７０】
一方、条件式（５）の下限値を超えると、前記レンズＬＡとレンズＬＢを離れた場所に配置するか、前記レンズＬＡとレンズＬＢの両方を比較的前記開口絞りに近い位置に配置することになる。前者の場合は前記レンズＬＡとレンズＬＢの温度による屈折率変化をキャンセルできたとしても、光線の通り方が大きく異なってしまうため、収差のキャンセルができずに特に球面収差や像面湾曲が残存してしまうため好ましくない。また後者の場合は、前記レンズＬＡとレンズＬＢを通る軸外主光線の高さが低くなってしまうため、倍率色収差を効果的に補正できず、残存させてしまうため好ましくない。
【００７１】
条件式（５）は更に好ましくは次の如く設定するのが良い。
【００７２】
0.50 ＜ dSL/LSP ＜0.95      ‥‥‥（５ａ）
条件式（５ａ）は更に好ましくは次の如く設定するのが良い。
【００７３】
0.55 ＜ dSL/LSP ＜0.90      ‥‥‥（５ｂ）
条件式（５ｂ）は更に好ましくは次の如く設定するのが良い。
【００７４】
0.60 ＜ dSL/LSP ＜0.87      ‥‥‥（５ｃ）
条件式（６）は前記レンズＬＡとレンズＬＢの材料のアッベ数（レンズＬＡ、レンズＬＢが複数あるときはそれぞれのアッベ数の平均値）の差に関する。条件式（６）の上限値を超えると、前記レンズＬＡとレンズＬＢの材料のアッベ数差が大きくなってしまう。そうすると、温度によって双方のレンズの屈折率が変化した場合、色収差のずれも大きくなってしまう。このため色収差を含めた収差のキャンセルができず、色収差が残存してしまうので好ましくない。
【００７５】
条件式（６）は更に好ましくは次の如く設定するのが良い。
【００７６】
│νA0−νB0│＜12        ‥‥‥（６ａ）
条件式（６ａ）は更に好ましくは次の如く設定するのが良い。
【００７７】
│νA0−νB0│＜9        ‥‥‥（６ｂ）
条件式（６ｂ）は更に好ましくは次の如く設定するのが良い。
【００７８】
│νA0−νB0│＜7        ‥‥‥（６ｃ）
条件式（７）（８）は前記レンズＬＡとレンズＬＢの材料のアッベ数に関する。条件式の示す範囲を図７に示す。条件式（７）（８）の上限値を超えると、前記レンズＬＡとレンズＬＢの材料のアッベ数が大きくなってしまう。そうすると低分散になってしまうため、同じパワーにおいて色収差補正効果が小さくなってしまうので好ましくない。
【００７９】
一方、条件式（７）（８）の下限値を超えると、前記レンズＬＡとレンズＬＢの材料のアッベ数が小さくなりすぎる。そうすると色収差補正力に関しては有利となるが、パワーによる色収差補正力の敏感度が高くなりすぎるため、製造が難しくなり好ましくない。条件式（７）（８）は更に好ましくは次の如く設定するのが良い。
【００８０】
12＜νA＜35        ‥‥‥（７ａ）
12＜νB＜35        ‥‥‥（８ａ）
条件式（７ａ）（８ａ）は更に好ましくは次の如く設定するのが良い。
【００８１】
15＜νA＜32        ‥‥‥（７ｂ）
15＜νB＜32        ‥‥‥（８ｂ）
条件式（７ｂ）（８ｂ）は更に好ましくは次の如く設定するのが良い。
【００８２】
17＜νA＜28        ‥‥‥（７ｃ）
17＜νB＜28        ‥‥‥（８ｃ）
条件式（９）（１０）は前記レンズＬＡとレンズＬＢの材料の屈折率とアッベ数に関する。条件式の示す範囲を図７に示す。条件式（９）（１０）の上限値又は下限値を超えると、前記レンズＬＡとレンズＬＢ共に屈折率に対して分散が小さくなってしまうか、前記レンズＬＡとレンズＬＢ共に分散に対して屈折率が小さくなってしまう。そうなると、特にｇ線とＦ線間の倍率色収差を効果的に補正しようとすると大きなパワーをつけなければならない。そうすると他の収差の寄与も大きくなってしまい、特に倍率色収差と非点収差やコマ収差の補正との両立が難しくなるため好ましくない。
【００８３】
条件式（９）（１０）は更に好ましくは次の如く設定するのが良い。
2.800×10-8×νA4-7.710×10-5×νA3＋6.740×10-4×νA2-2.392×10-2×νA＋1.780＜NA＜3.451×10-8×νA4-1.088×10-5×νA3＋1.247×10-3×νA2-6.350×10-2×νA＋2.677
・・・条件式（９ａ）
2.800×10-8×νB4-7.710×10-5×νB3＋6.740×10-4×νB2-2.392×10-2×νB＋1.780＜NB＜3.451×10-8×νB4-1.088×10-5×νB3＋1.247×10-3×νB2-6.350×10-2×νB＋2.677
・・・条件式（１０ａ）
条件式（９ａ）（１０ａ）は更に好ましくは次の如く設定するのが良い。
2.800×10-8×νA4-7.710×10-5×νA3＋6.740×10-4×νA2-2.392×10-2×νA＋1.800＜NA＜3.451×10-8×νA4-1.088×10-5×νA3＋1.247×10-3×νA2-6.350×10-2×νA＋2.657
・・・条件式（９ｂ）
2.800×10-8×νB4-7.710×10-5×νB3＋6.740×10-4×νB2-2.392×10-2×νB＋1.800＜NB＜3.451×10-8×νB4-1.088×10-5×νB3＋1.247×10-3×νB2-6.350×10-2×νB＋2.657
・・・条件式（１０ｂ）
条件式（１１）は前記第１レンズ群Ｌ１のパワーと前記撮影光学系Ｌ０の全長に関する。条件式（１１）の上限値を超えると、第１レンズ群Ｌ１のパワーが小さくなりすぎるか全長が長くなりすぎる。第１レンズ群Ｌ１のパワーが小さくなりすぎると、収差補正には有利であるが、収れん作用が弱くなり小型化という課題が解決できなくなるため好ましくない。また全長が長くなった場合も同様である。
【００８４】
一方、条件式（１１）の下限値を超えると、第１レンズ群Ｌ１のパワーが大きくなりすぎるか全長が短くなりすぎる。小型化の課題を解決するためには全長が短いのは有利であるが、第１レンズ群Ｌ１のパワーが大きくなりすぎると、球面収差やコマ収差の補正のためにレンズ枚数が多く必要となる。そうなると小型化という課題が解決できなくなるため好ましくない。第１レンズ群Ｌ１のパワーと全長のバランスが条件式（１１）の範囲にあるのが収差補正上好ましい。
【００８５】
条件式（１１）は更に好ましくは次の如く設定するのが良い。
2017219645.tif 000010
【００８６】
条件式（１１ａ）は更に好ましくは次の如く設定するのが良い。
2017219645.tif 000011
【００８７】
条件式（１２）は前記レンズＬＡのパワーとアッベ数と異常部分分散比に関する。これは前記レンズＬＡが複数配置されている場合には、ΔθgFA×φA/νAの総和について全系のパワーφで割るという意味である。条件式（１２）の上限値または下限値を超えると、Ｃ線とＦ線間の倍率色収差補正量に対して、ｇ線とＦ線間の倍率色収差の補正量バランスが取れなくなるため好ましくない。
2017219645.tif 000012
【００８８】
条件式（１２ａ）は更に好ましくは次の如く設定するのが良い。
2017219645.tif 000013
【００８９】
また前記レンズＬＡとレンズＬＢの形状に関しては、条件式（１３）乃至（１４）を同時に満たす、もしくは前記レンズＬＡとレンズＬＢのうち、像側に位置するレンズの形状が物体側に凸形状のメニスカスレンズ、物体側に位置するレンズの形状が像側凸形状のメニスカスレンズであることが好ましい。
【００９０】
条件式（１３）乃至（１４）は前記レンズＬＡとレンズＬＢの各物体側の面と像側の面の曲率半径の向きを表している。物体側の面と像側の面の曲率半径の積が負の値を示すということは、物体側の面と像側の面の曲率半径の符号が逆向きになっていることを示し、前記レンズＬＡとレンズＬＢのうちどちらかが両凸形状でどちらかが両凹形状であることを示す。
【００９１】
そうすると、温度変化によって前記レンズＬＡとレンズＬＢが膨張・収縮した際の各レンズ面の曲率半径変化によって引き起こされる収差の変化（特に非点収差の変化）を打ち消すことが可能となる。具体的には、両凸形状のレンズの物体側の面の変化（膨張・収縮）と両凹形状のレンズの物体側の面の変化（膨張・収縮）とで発生する収差（特に非点収差）が打ち消し合い、像側の面もこれと同様に打ち消すことができる。これは後者のメニスカス形状の場合も同様である。
【００９２】
しかし、メニスカスレンズ向きが上述の向きと逆になってしてしまうと、前記レンズＬＡとレンズＬＢの各面（特に物体側の面）の曲率変化によって引き起こされる非点収差の発生方向が同じになってしまうため打ち消すことができなくなり好ましくない。
【００９３】
以上のように各実施例によれば、望遠レンズにおいて色収差の補正に樹脂レンズを用いた場合でも屈折率の温度補償が容易で、しかも全系の小型化を図ることができる撮影光学系及びそれを有する撮像装置が得られる。
【００９４】
次に各実施例のレンズ構成の特徴について説明する。
【００９５】
各レンズに付した符号のレンズは前述した各レンズに付した符号のレンズと対応している。まず各実施例で共通しているレンズ構成を説明する。
【００９６】
各実施例の撮影光学系では、最も物体側から順に正のパワー（屈折力）の第１レンズ群Ｌ１、負のパワーの第２レンズ群Ｌ２、正又は負のパワーの第３レンズ群Ｌ３より構成されている。そして第１レンズ群Ｌ１よりも像側に開口部ＳＰを有している。また第３レンズ群Ｌ３は、正又は負のパワーの第３１レンズ群Ｌ３１と、負のパワーの第３２レンズ群Ｌ３２と正のパワーの第３３レンズ群Ｌ３３より成っている。
【００９７】
そして撮影光学系が振動した時の撮影画像のブレの補正（振動補償）を第３２レンズ群Ｌ３２を可動レンズ群（画像変位補正群）とする。そして、矢印ＬＴの如く光軸と直交する方向の成分を持つように移動させて行なっている。実施例４以外の各実施例については第１レンズ群Ｌ１内に回折光学素子ＤＯＥを使用している。
【００９８】
レンズ断面図において、ＤＯＥは回折光学素子である。Ｄ面は回折光学素子ＤＯＥの一部を構成する回折光学部（回折光学面）である。回折光学部Ｄより生ずる回折光のうち、各実施例で用いる回折光の回折次数ｍは１であり、設計波長λ0はｄ線の波長（５８７．５６ｎｍ）である。なお撮影光学系Ｌ０に設ける回折光学面Ｄは１つに限らず複数用いても良く、これによれば更に良好な光学性能が得られる。また回折光学面Ｄは球面に限らず非球面をベースとしても良く、ベースの材質は光を透過するものであればガラスでもプラスチックでも良い。
【００９９】
回折格子の形状は、その２ｉ次項の位相係数をＣ2iとした時、光軸からの距離Ｈにおける位相φ（Ｈ）は次式で表される。ただしｍは回折次数、λ0は基準波長である。
2017219645.tif 000014
【０１００】
一般に、レンズ、プリズム等の屈折光学材料のアッベ数（分散値）νdは、ｄ、Ｃ、Ｆ
線の各波長における屈折力をＮd、ＮC、ＮFとした時、次式で表される。
【０１０１】
νd＝（Ｎd−１）／（ＮF−ＮC）＞0      ・・・（ｂ）
一方、回折光学部のアッベ数νdはｄ、Ｃ、Ｆ線の各波長をλd、λC、λFとした時
νd＝λd／（λF−λC）                ・・・（ｃ）
と表され、νd＝−3.453となる。
【０１０２】
また部分分散比θgFは
θgF＝（λg−λF）／（λF−λC）        ・・・（ｄ）
と表され、θgF＝0.2956となる。
【０１０３】
これにより、任意波長における分散性は、屈折光学素子と逆作用を有する。また、回折光学部の基準波長における近軸的な一時回折光（ｍ ＝ １）の屈折力φDは、回折光学部の位相を表す前式（ａ）から２次項の係数をＣ2とした時、φD= −2・Ｃ2と表される。これより回折光学素子ＤＯＥの回折成分のみによる焦点距離ｆDOEは
2017219645.tif 000015
【０１０４】
となる。さらに、任意波長をλ、基準波長をλ０とした時、任意波長の基準波長に対する
屈折力変化は、次式となる。
【０１０５】
φD’＝（λ／λ0）×（−2・Ｃ2）            ・・・（ｇ）
これにより、回折光学部の特徴として、前式（ａ）の位相係数Ｃ2を変化させることにより、弱い近軸屈折力変化で大きな分散性が得られる。これは色収差以外の諸収差に大きな影響を与えることなく、色収差の補正を行うことを意味している。また位相係数Ｃ4以降の高次数の係数については、回折光学部の光線入射高の変化に対する屈折力変化は非球面と類似した効果を得ることができる。それと同時に、光線入射高の変化に応じて基準波長に対し任意波長の屈折力変化を与えることができる。このため、倍率色収差の補正に有効である。
【０１０６】
次に各実施例における詳細な構成について説明する。
［実施例１］
図１（Ａ）の実施例１の撮影光学系Ｌ０について説明する。
【０１０７】
第１レンズ群Ｌ１は物体側から順に物体側に凸形状のメニスカス正レンズ２つと、負レンズと正レンズの接合レンズと、両凸レンズで構成されている。前記接合レンズは回折光学素子ＤＯＥを構成している。回折光学素子ＤＯＥを構成する回折光学部Ｄは、接合レンズの接合面に配置されている。第１レンズ群Ｌ１の最も像側の両凸レンズの物体側のレンズ面は非球面である。
【０１０８】
そして第２レンズ群Ｌ２は１つの負レンズで構成されている。また軸上最大光束径を決定している開口部は、開口径可変の開口絞りＳＰとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは負レンズと正レンズからなる接合レンズである。
【０１０９】
そして像側の接合レンズは正レンズと負レンズからなる接合レンズで構成されている。また像側の接合レンズの最も像側の面は非球面である。そして第３２レンズ群Ｌ３２は、正レンズと負レンズを接合した１組の接合レンズと、１つの負レンズから構成されている。そして第３３レンズ群Ｌ３３は、正レンズと負レンズからなる１組の接合レンズと、２つの正レンズと、１つの負レンズから構成されている。また、第３３レンズ群Ｌ３３の最も像側の負レンズの像側の面は非球面である。
【０１１０】
第３３レンズ群Ｌ３３において、像側に凸形状のメニスカス正レンズが前記レンズＬＢに対応し、物体側に凸形状のメニスカス負レンズが前記レンズＬＡに対応している。レンズＬＡを構成する材料は熱硬化性樹脂１であり、レンズＬＢを構成する材料は、熱硬化性樹脂２である。両材料の光学特性を表−１に示す。尚、無限遠物体から近距離物体へのフォーカシングは第２レンズ群Ｌ２を像面側へ光軸上を移動させることで行なっている。
【０１１１】
［実施例２］
図２（Ａ）の実施例２の撮影光学系Ｌ０について説明する。
【０１１２】
第１レンズ群Ｌ１は物体側から順に両凸レンズと、物体側に凸形状のメニスカス正レンズと、負レンズと正レンズからなる１組の接合レンズと、１つの両凸レンズで構成されている。前記接合レンズは回折光学素子ＤＯＥを構成している。回折光学素子ＤＯＥを構成する回折光学部Ｄは、接合レンズの接合面に配置されている。第１レンズ群Ｌ１の最も像側の両凸の物体側のレンズ面は非球面である。
【０１１３】
そして第２レンズ群Ｌ２は１つの負レンズで構成されている。また軸上最大光束径を決定している開口部は、開口径可変の開口絞りＳＰとして第２レンズ群Ｌ２と第３レンズ群Ｌ３の間に配置されている。更に第３レンズ群Ｌ３において、第３１レンズ群Ｌ３１は、１組の接合レンズと１つの負レンズで構成されている。前記接合レンズは１つの負レンズと１つの正レンズからなる接合レンズであり、前記接合レンズの最も像側の面は非球面である。
【０１１４】
そして第３２レンズ群Ｌ３２は、正レンズと負レンズを接合した１組の接合レンズと、１つの負レンズから構成されている。そして第３３レンズ群Ｌ３３は、物体側から順に両凸レンズと、負レンズと正レンズからなる接合レンズと、両凸レンズと、両凹レンズで構成されている。また、第３３レンズ群Ｌ３３の最も像側の両凹レンズの像側の面は非球面である。第３３レンズ群Ｌ３３において、最も物体側に配置された両凸レンズが前記レンズＬＢに対応し、最も像側の両凹レンズが前記レンズＬＡに対応している。
【０１１５】
レンズＬＡを構成する材料はアクリル系ＵＶ硬化樹脂であり、レンズＬＢを構成する材料は、熱硬化性樹脂３である。両材料の光学特性を表−１に示す。
【０１１６】
尚、無限遠物体から近距離物体へのフォーカシングは第２レンズ群Ｌ２を像面側へ光軸上を移動させることで行なっている。
【０１１７】
［実施例３］
図３（Ａ）の実施例３の撮影光学系Ｌ０について説明する。
【０１１８】
第１レンズ群Ｌ１は物体側から順に両凸レンズと、物体側に凸形状のメニスカス正レンズと、負レンズと正レンズからなる１組の接合レンズと、１つの両凸レンズで構成されている。前記接合レンズは回折光学素子ＤＯＥを構成している。回折光学素子ＤＯＥを構成する回折光学部Ｄは、接合レンズの接合面に配置されている。第１レンズ群Ｌ１の最も像側の両凸の物体側のレンズ面は非球面である。
【０１１９】
そして第２レンズ群Ｌ２は１つの負レンズで構成されている。また軸上最大光束径を決定している開口部は、開口径可変の開口絞りＳＰとして第２レンズ群Ｌ２と第３レンズ群Ｌ３の間に配置されている。更に第３レンズ群Ｌ３において、第３１レンズ群Ｌ３１は、１組の接合レンズと１つの負レンズで構成されている。前記接合レンズは１つの負レンズと１つの正レンズからなる接合レンズであり、前記接合レンズの最も像側の面は非球面である。
【０１２０】
そして第３２レンズ群Ｌ３２は、正レンズと負レンズを接合した１組の接合レンズと、１つの負レンズから構成されている。そして第３３レンズ群Ｌ３３は、物体側から順に物体側に凸形状のメニスカス正レンズと、両凹レンズと、両凸レンズと、両凸レンズと、両凹レンズで構成されている。また、第３３レンズ群Ｌ３３の最も像側の両凹レンズの像側の面は非球面である。第３３レンズ群Ｌ３３において、２番目の正レンズ（両凸レンズ）と３番目の正レンズ（両凸レンズ）が前記レンズＬＢに対応し、２つの両凹レンズが前記レンズＬＡに対応している。
【０１２１】
前記レンズＬＡを構成する２つの両凹レンズのうち、物体側のレンズＬＡを構成する材料はアクリル系ＵＶ硬化樹脂であり、像側のレンズＬＡを構成する材料はＮ−ポリビニルカルバゾールである。そして前記レンズＬＢを構成する２つの正レンズのうち、物体側のレンズＬＢを構成する材料は熱硬化性樹脂２であり、像側のレンズＬＢを構成する材料は熱硬化性樹脂３である。これらの材料の光学特性を表−１に示す。
【０１２２】
尚、無限遠物体から近距離物体へのフォーカシングは第２レンズ群Ｌ２を像面側へ光軸上を移動させることで行なっている。
【０１２３】
［実施例４］
図４（Ａ）の実施例４の撮影光学系Ｌ０について説明する。
【０１２４】
第１レンズ群Ｌ１は物体側から順に物体側に凸形状のメニスカス正レンズ２つと、正レンズと負レンズの接合レンズと、負レンズと正レンズの接合レンズと、両凸レンズで構成されている。第１レンズ群Ｌ１の最も像側の両凸レンズの物体側のレンズ面は非球面である。
【０１２５】
そして第２レンズ群Ｌ２は１つの負レンズで構成されている。また軸上最大光束径を決定している開口部は、開口径可変の開口絞りＳＰとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは負レンズと正レンズからなる接合レンズである。
【０１２６】
そして像側の接合レンズは正レンズと負レンズからなる接合レンズで構成されている。また像側の接合レンズの最も像側の面は非球面である。そして第３２レンズ群Ｌ３２は、正レンズと負レンズを接合した１組の接合レンズと、１つの負レンズから構成されている。そして第３３レンズ群Ｌ３３は、物体側から順に、正レンズと負レンズからなる１組の接合レンズと、正レンズと、２つの負レンズからなる１組の接合レンズと、負レンズで構成されている。また、第３３レンズ群Ｌ３３の最も像側の負レンズの物体側の面は非球面である。
【０１２７】
第３３レンズ群Ｌ３３において、像側に凸形状のメニスカス正レンズが前記レンズＬＡに対応し、物体側に凸形状のメニスカス負レンズが前記レンズＬＢに対応している。レンズＬＡを構成する材料はＵＶ硬化樹脂２にＩＴＯ微粒子を１４．２％分散させたＩＴＯ１４．２％−ＵＶ硬化樹脂２であり、レンズＬＢを構成する材料は、熱硬化性樹脂２である。両材料の光学特性を表−１に示す。尚、無限遠物体から近距離物体へのフォーカシングは第２レンズ群Ｌ２を像面側へ光軸上を移動させることで行なっている。
【０１２８】
以下に本発明の実施例１〜４に対応する数値実施例１〜４を示す。
【０１２９】
各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。ｆ、Fno、２ωはそれぞれ無限遠物体に焦点を合わせたときの全系の焦点距離、Ｆナンバー、画角（度）を表している。BFは空気換算値でのバックフォーカスである。
【０１３０】
各数値実施例において、最も像側の２つの面はフィルター等のガラスブロックである。回折光学素子（回折面）は前述（ａ）式の位相関数の位相係数を与えることで表している。非球面形状は光軸方向にＸ軸、光軸と垂直方向にＨ軸、光の進行方向を正、Ｒを近軸曲率半径、ｋを離心率、A4、A6、A8、A10を各々非球面係数としたとき、
2017219645.tif 000016
【０１３１】
なる式で表している。
【０１３２】
また例えば「ｅ−Ｚ」の表示は「１０−Ｚ」を意味する。（表−１）（表−２）に、前記レンズＬＡ及びレンズＬＢの材料特性、及び用いている数値実施例の番号を示す。またＩＴＯの微粒子分散材料の屈折率は、前述の（Ａ）式を用いて計算した値を用いて算出している。そして、前述の各条件式と数値実施例における諸数値との関係を（表−３）に示す。
（数値実施例１）
f= 585.05mm  Fno= 4.12  ２ω= 4.24
面番号       r        d      nd         vd       有効径
1        171.314   19.14   1.58144    40.8      142.00
2      83547.455    0.35                        140.81
3        108.748   19.56   1.43387    95.1      129.36
4        357.504   51.37                        126.32
5      -1971.903    5.00   1.91082    35.3       80.97
6(回折)   66.752   12.92   1.48749    70.2       73.43
7        309.847   42.26                         72.46
8(非球面) 74.848   11.33   1.48749    70.2       61.18
9       -209.524    5.75                         59.92
10        227.418    2.50   1.85026    32.3       52.13
11         53.599   58.83                         48.46
12(絞り)    ∞      10.50                         39.71    開口絞りSP
13         38.927    2.00   1.91082    35.3       40.56
14         24.857   13.17   1.59551    39.2       37.87
15       -114.453    1.00                         37.20
16         65.566    5.03   1.48749    70.2       34.33
17       -179.046    2.00   1.80610    40.4       33.19
18(非球面) 52.175    6.21                         31.20
19       -338.487    2.81   1.84666    23.8       30.14
20        -95.341    1.70   1.58913    61.1       29.91
21         61.581    2.59                         29.05
22       -752.733    2.50   1.67790    55.3       29.04
23         46.069    3.00                         29.08
24         50.915    9.12   1.58144    40.8       30.58
25        -28.664    2.00   1.88300    40.8       30.72
26        132.419    5.03                         32.58
27       -140.631    3.66   1.63550    23.9       34.77   ＬＢ
28        -59.175    3.09                         35.84
29         43.833    7.07   1.76182    26.5       41.16
30      -3739.696    1.00                         40.78
31        300.000    2.00   1.64040    18.9       40.13   ＬＡ
32(非球面) 60.000    7.00                         38.77
33          ∞       2.00   1.51633    64.1       39.00
34          ∞      60.51                         39.09
像面        ∞   
非球面データ
第6面(回折面)
C 2=-4.29178e-005  C 4=-5.19729e-009  C 6=-2.59620e-013  C 8= 2.18343e-015
C10=-4.62988e-018  C12= 1.57518e-021  C14= 3.52327e-024  C16=-4.20633e-027
C18= 1.72880e-030  C20=-2.30398e-034
第8面
K = 0.00000e+000  A 4=-3.47572e-007  A 6=-6.38001e-011  A 8= 1.46694e-014
A10=-5.06280e-018  A12= 1.84681e-021
第18面
K = 0.00000e+000  A 4=-1.28898e-006  A 6=-1.99855e-009  A 8=-9.38199e-012
A10= 1.88578e-014  A12=-6.66408e-017  
第32面
K = 0.00000e+000  A 4= 1.46357e-006  A 6= 1.31515e-009  A 8= 2.70819e-012
A10=-4.81189e-015  A12=-7.40949e-018  A14= 2.53284e-020
各種データ
ズーム比      1.00 
焦点距離     585.05  
Fナンバー      4.12  
画角           2.12  
像高          21.64  
レンズ全長   384.01  
BF            60.51  
入射瞳位置   1082.16  
射出瞳位置    -75.45  
前側主点位置 -850.19  
後側主点位置 -524.53  
レンズ群データ
群  始面    焦点距離  レンズ構成長  前側主点位置  後側主点位置
1    1     181.16       161.92       142.34       -110.07
2   10     -83.03         2.50         1.78          0.42
3   12    1558.42        94.50      -287.73       -318.34
31   12     114.20        33.70        -4.71        -26.12
32   19     -38.96         9.61         4.87         -1.69
33   24      88.04        41.98        11.11        -21.21
単レンズデータ
レンズ  始面  焦点距離
1       1    295.22
2       3    351.85
3       5    -70.81(回折光学素子を除いたレンズ単体の値)
4       6    171.54(回折光学素子を除いたレンズ単体の値)
5       8    114.62
6      10    -83.03
7      13    -80.99
8      14     35.55
9      16     99.11
10      17    -49.93
11      19    155.94
12      20    -63.25
13      22    -63.96
14      24     32.93
15      25    -26.53
16      27    158.00
17      29     56.92
18      31   -117.50
G      33      0.00
（数値実施例２）
f= 584.95mm  Fno= 4.12  ２ω= 4.24
面番号         r        d      nd         vd       有効径
1          384.411   15.32   1.48749    70.2      141.98
2         -676.196    0.50                        141.36
3          116.318   23.15   1.43387    95.1      134.01
4          696.728   63.79                        131.00
5        -1287.064    4.20   1.88300    40.8       82.99
6(回折)     87.310   13.77   1.48749    70.2       77.82
7          531.409   23.26                         76.53
8(非球面)   98.480   10.87   1.48749    70.2       69.53
9        -2748.116    5.50                         67.75
10         2487.103    3.00   1.51633    64.1       64.08
11          149.108   45.61                         61.63
12(絞り)      ∞      11.00                         44.68    開口絞りSP
13           34.530    1.80   1.88300    40.8       38.00
14           24.490   11.93   1.58313    59.4       35.16
15(非球面)-8550.685    2.00                         32.41
16           65.253    2.00   1.88300    40.8       28.73
17           28.552    6.82                         26.10
18           73.041    4.64   1.84666    23.8       23.81
19          -62.489    1.80   1.88300    40.8       23.36
20           38.191    3.71                         22.60
21         -394.920    1.80   1.88300    40.8       23.04
22           71.906    3.74                         23.49
23           69.715    6.16   1.60737    27.0       25.97   ＬＢ
24          -43.455    2.37                         26.60
25          -37.304    2.00   1.88300    40.8       26.53
26           53.208    8.32   1.60342    38.0       28.66
27          -70.395    2.07                         31.01
28           57.369    8.91   1.62588    35.7       34.50
29          -42.973   -0.08                         34.67
30          -48.766    2.00   1.63555    22.7       34.46   ＬＡ
31(非球面)  274.518    5.00                         34.57
32            ∞       2.00   1.51633    64.1       35.11
33            ∞      64.99                         35.28
像面          ∞   
非球面データ
第6面(回折面)
C 2=-3.59557e-005  C 4=-2.02690e-009  C 6= 3.82008e-012  C 8=-1.13718e-014
C10= 1.97436e-017  C12=-1.67663e-020  C14= 3.56371e-024  C16= 4.33333e-027
C18=-3.11803e-030  C20= 6.17609e-034  
第8面
K = 0.00000e+000  A 4=-1.14286e-007  A 6=-6.50288e-012  A 8=-1.84715e-015
A10= 4.32359e-019  
第15面
K = 0.00000e+000  A 4= 6.45595e-007  A 6=-2.56563e-010  A 8= 7.72570e-014
A10=-3.92620e-015  A12= 1.31566e-017  A14=-1.33552e-020  
第31面
K = 0.00000e+000  A 4=-1.43077e-007  A 6= 1.02116e-009  A 8= 5.68615e-013
A10=-2.01685e-015  A12= 5.04111e-018  
各種データ
ズーム比      1.00 
焦点距離     584.95  
Fナンバー      4.12  
画角           2.12  
像高          21.64  
レンズ全長   363.96  
BF            64.99  
入射瞳位置     690.64  
射出瞳位置     -73.29  
前側主点位置 -1198.90  
後側主点位置  -519.96  
レンズ群データ
群  始面   焦点距離  レンズ構成長  前側主点位置  後側主点位置
1    1     234.00       154.86        43.90       -124.61
2   10    -307.34         3.00         2.11          0.13
3   12    -154.18        90.00        44.75        -38.60
31   12   -5133.62        28.73      1161.03        930.14
32   18     -38.64        11.95         7.85         -0.57
33   23      75.37        38.76         9.99        -18.80
単レンズデータ
レンズ  始面  焦点距離
1       1    505.14
2       3    317.98
3       5    -92.47(回折光学素子を除いたレンズ単体の値)
4       6    212.16(回折光学素子を除いたレンズ単体の値)
5       8    195.27
6      10   -307.34
7      13   -104.14
8      14     41.90
9      16    -59.00
10      18     40.41
11      19    -26.62
12      21    -68.77
13      23     45.00
14      25    -24.58
15      26     51.52
16      28     40.64
17      30    -65.00
G      32      0.00
（数値実施例３）
f=585.00 mm  Fno= 4.12  ２ω=4.24
面番号       r        d      nd         vd       有効径
1        196.192   18.74   1.48749    70.2      141.99
2      -5616.125    0.50                        141.99
3        138.712   19.27   1.43387    95.1      133.69
4        725.750   63.17                        130.70
5       -975.376    4.20   1.88300    40.8       83.89
6(回折)   99.639   12.94   1.48749    70.2       79.20
7        600.000   56.18                         77.84
8(非球面)119.024    9.48   1.48749    70.2       61.66
9       -876.113    6.40                         59.90
10        492.894    3.00   1.51633    64.1       55.50
11         93.958   64.12                         53.02
12(絞り)    ∞      11.00                         33.72    開口絞りSP
13         57.511    1.80   1.88300    40.8       32.90
14         41.712    7.35   1.51823    58.9       32.10
15(非球面)-99.565    4.20                         31.53
16        205.949    2.00   1.88300    40.8       28.97
17         65.665    4.00                         28.07
18         59.071    4.48   1.84666    23.8       27.36
19        -67.171    1.80   1.88300    40.8       26.95
20         34.774    5.13                         25.56
21       -116.153    1.80   1.88300    40.8       26.01
22         69.456    4.54                         26.89
23         36.490    5.61   1.54814    45.8       33.22
24        352.512    2.61                         33.43
25       -675.486    2.00   1.63555    22.7       33.85   ＬＡ
26         39.970    0.50                         34.77
27         42.290    5.86   1.63550    23.9       35.16   ＬＢ
28       -701.287    0.30                         35.47
29         74.156    4.57   1.60737    27.0       36.17   ＬＢ
30       -504.079    0.50                         36.10
31       -502.649    2.00   1.69591    17.7       36.05   ＬＡ
32(非球面)297.543    5.00                         35.95
33          ∞       2.00   1.51633    64.1       36.50
34          ∞      50.94                         36.67
像面        ∞   
非球面データ
第6面(回折面)
C 2=-4.17482e-005  C 4=-1.98068e-010  C 6= 4.34965e-012  C 8=-1.33886e-014
C10= 2.04518e-017  C12=-1.63832e-020  C14= 3.48559e-024  C16= 4.22683e-027
C18=-3.13657e-030  C20= 6.40178e-034
第8面
K = 0.00000e+000  A 4=-9.42876e-008  A 6=-5.84084e-012  A 8= 1.72968e-015
A10=-1.41651e-019
第15面
K = 0.00000e+000  A 4= 1.93187e-006  A 6=-2.22284e-010  A 8=-6.20424e-012
A10= 3.13004e-014  A12=-6.89496e-017  A14= 4.68543e-020
第32面
K = 0.00000e+000  A 4= 1.50765e-006  A 6= 2.96197e-009  A 8=-3.17602e-012
A10= 9.35047e-015  A12=-2.52254e-018
各種データ
ズーム比      1.00 
焦点距離     585.00  
Fナンバー      4.12  
画角           2.12  
像高          21.64  
レンズ全長   388.00  
BF            50.94  
入射瞳位置   1249.39  
射出瞳位置   -64.36  
前側主点位置-1133.67  
後側主点位置-534.06  
ズームレンズ群データ
群  始面    焦点距離  レンズ構成長  前側主点位置  後側主点位置
1    1     254.84       184.48        97.00       -150.21
2   10    -225.41         3.00         2.45          0.47
3   12    -244.62        79.06        43.60        -27.35
31   12     274.60        26.35       -11.64        -31.02
32   18     -32.25        13.21         9.14         -0.72
33   23      56.35        30.95         3.29        -19.86
単レンズデータ
レンズ  始面  焦点距離
1       1    389.28
2       3    391.37
3       5   -102.20(回折光学素子を除いたレンズ単体の値)
4       6    243.03(回折光学素子を除いたレンズ単体の値)
5       8    215.63
6      10   -225.41
7      13   -181.67
8      14     57.75
9      16   -109.91
10      18     37.74
11      19    -25.74
12      21    -49.00
13      23     73.79
14      25    -59.31
15      27     62.95
16      29    106.75
17      31   -268.30
G      33      0.00
（数値実施例４）
f= 594.73mm  Fno= 4.12  ２ω=4.16
面番号       r        d      nd         vd       有効径
1(非球面)156.532   18.22   1.74950    35.3      144.36
2        949.214    0.35                        143.05
3        116.336   19.81   1.43387    95.1      130.77
4        630.750    9.30                        128.17
5      54031.818   10.88   1.75520    27.5      120.61
6       -233.045    5.00   1.85026    32.3      118.60
7        564.663   37.13                        109.95
8       1013.106    5.00   1.74950    35.3       77.72
9         42.085   17.00   1.49700    81.5       66.78
10        185.922    3.50                         65.94
11(非球面) 59.673   14.54   1.43387    95.1       64.18
12       -175.521    4.00                         62.94
13        387.668    2.50   1.80000    29.8       55.54
14         58.936   59.90                         51.39
15(絞り)    ∞      10.50                         37.53    開口絞りSP
16         74.707    2.00   1.85026    32.3       34.32
17         22.816   14.84   1.56732    42.8       32.00
18        -48.590    1.00                         31.48
19       -165.972    8.44   1.64769    33.8       29.77
20        -24.715    2.00   1.88300    40.8       28.87
21(非球面)-74.386    2.00                         29.61
22       -349.740    2.81   1.84666    23.8       28.87
23       -120.341    1.70   1.48749    70.2       28.70
24         48.465    3.22                         27.98
25        199.446    2.50   1.62041    60.3       28.08
26         38.357    3.38                         28.01
27         46.021   11.86   1.75520    27.5       29.59
28        -26.110    2.00   1.88300    40.8       29.46
29        -72.500    3.08                         29.79
30        -65.000    4.50   1.56480    20.0       29.04   ＬＡ
31        -40.000    2.00                         29.07
32        -30.694    1.50   1.92286    18.9       28.51
33        -51.111    1.04   1.88300    40.8       29.30
34        -80.805    1.00                         29.79
35(非球面)135.111    2.00   1.63550    23.9       30.45   ＬＢ
36         60.000    7.00                         30.27
37          ∞       2.00   1.51633    64.1       31.40
38          ∞      52.00                         31.69
像面        ∞   
非球面データ
第1面
K = 0.00000e+000  A 4= 9.72896e-009  A 6= 3.80682e-013  A 8= 9.77088e-017
A10=-1.33311e-020  A12= 1.16552e-024  
第11面
K = 0.00000e+000  A 4=-2.63642e-007  A 6=-1.98818e-011  A 8= 3.33813e-014
A10= 1.44313e-017  A12= 1.81065e-020  
第21面
K = 0.00000e+000  A 4=-3.78115e-006  A 6=-7.41890e-010  A 8=-3.70695e-011
A10= 9.02781e-014  A12=-9.86045e-017  
第35面
K = 0.00000e+000  A 4= 9.82184e-006  A 6=-1.13960e-008  A 8= 4.39014e-011
A10=-1.00159e-013  A12= 8.94552e-017  A14=-4.80733e-020  
各種データ
ズーム比      1.00 
焦点距離     594.73  
Fナンバー      4.12  
画角           2.08  
像高          21.64  
レンズ全長   351.50  
BF            52.00  
入射瞳位置   989.90  
射出瞳位置   -46.86  
前側主点位置-1993.09  
後側主点位置-542.73  
レンズ群データ
群  始面    焦点距離  レンズ構成長  前側主点位置  後側主点位置
1    1     164.14       140.72        48.26        -98.72
2   13     -87.17         2.50         1.64          0.25
3   15    -208.73        92.38       105.20         23.09
31   15     109.00        38.78        23.39         -5.23
32   22     -43.15        10.23         5.40         -1.87
33   27     104.63        37.99       -23.06        -43.15
単レンズデータ
レンズ  始面  焦点距離
1       1    247.65
2       3    324.99
3       5    307.29
4       6   -193.46
5       8    -58.71
6       9    105.32
7      11    104.60
8      13    -87.17
9      16    -39.33
10      17     29.59
11      19     43.81
12      20    -42.72
13      22    215.49
14      23    -70.64
15      25    -77.00
16      27     23.74
17      28    -47.17
18      30    172.90
19      32    -86.31
20      33   -160.15
21      35   -171.61
G      37      0.00
【０１３３】
【表１】
2017219645.tif 000017
【０１３４】
以上、本発明の好ましい実施形態について説明したが、本発明はこれらの実施形態に限定されず、その要旨の範囲内で種々の変形及び変更が可能である。
【０１３５】
次に添付の各図面について説明する。図１（Ａ）乃至図４（Ａ）は本発明の撮影光学系の実施例１乃至実施例４のレンズ断面図である。図１（Ｂ）乃至図４（Ｂ）は光学系の環境温度が摂氏２０度における本発明の撮影光学系の実施例１乃至実施例４の縦収差図である。図１（Ｃ）乃至図４（Ｃ）は光学系の環境温度が摂氏−２０度における本発明の撮影光学系の実施例１乃至実施例４の縦収差図である。図１（Ｄ）乃至図４（Ｄ）は光学系の環境温度が摂氏４０度における本発明の撮影光学系の実施例１乃至実施例４の縦収差図である。また図５は本発明の撮影光学系をカメラ本体に装着した一眼レフカメラシステム（撮像装置）の要部概略図である。
【０１３６】
各レンズ断面図において、Ｌ０は撮影光学系である。ＳＰは開口絞りである。撮影光学系Ｌ０は正の屈折力の第１レンズ群Ｌ１、負の屈折力の第２レンズ群Ｌ２、正又は負の第３レンズ群Ｌ３を有している。第３レンズ群Ｌ３は物体側から像側へ順に、固定の第３１レンズ群Ｌ３１、光軸に対し垂直方向の成分を持つように移動して画像を光軸方向に対し垂直に変移させる第３２レンズ群Ｌ３２、固定の第３３レンズ群Ｌ３３を有する。
【０１３７】
ＩＰは像面であり、ビデオカメラやデジタルカメラの撮影光学系として使用する際には像を受光するＣＣＤセンサやＣＭＯＳセンサ等の撮像素子（光電変換素子）の撮像面が、銀塩フィルム用カメラの撮像光学系とし使用する際にはフィルム面に相当する。Ｇはガラスブロックである。
【０１３８】
各収差図において、ｄ、ｇは順に、ｄ線、ｇ線である。Ｍ、Ｓはメリディオナル像面、サジタル像面である。倍率色収差はｇ線によって表している。ＦｎｏはＦナンバー、ωは半画角である。すべての収差図においては、後述する各数値実施例をｍｍ単位で表したとき球面収差は０．４ｍｍ、非点収差は０．４ｍｍ、歪曲は２％、倍率色収差は０．０５ｍｍのスケールで描かれている。
【０１３９】
次に本発明の光学系を撮像装置（カメラシステム）に適用した実施例を図５を用いて説明する。図５は一眼レフカメラの要部概略図である。図５において、１０は実施例１〜４のいずれか１つの撮影光学系１を有する撮像レンズである。撮影光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【０１４０】
７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。このように実施例１〜４の撮影光学系を写真用カメラや、ビデオカメラ、デジタルスチルカメラ等の撮像装置に適用することにより、軽量で高い光学性能を有する撮像装置を実現している。
【０１４１】
尚、本発明の撮影光学系はクイックリターンミラーのない撮像装置にも適用することができる。
【符号の説明】
【０１４２】
Ｌ０  撮影光学系、Ｌ１  第１レンズ群、Ｌ２  第２レンズ群、Ｌ３  第３レンズ群、
Ｌ３１  第３１レンズ群、Ｌ３２  第３２レンズ群、Ｌ３３  第３３レンズ群、
ＤＯＥ  回折光学素子、Ｄ  回折光学部、ＬＡ  レンズＬＡ、ＬＢ  レンズＬＢ
Ｇ  ガラスブロック
【図１】
2017219645.tif 000021
【図２】
2017219645.tif 000022
【図３】
2017219645.tif 000023
【図４】
2017219645.tif 000024
【図５】
2017219645.tif 000025
【図６】
2017219645.tif 000026
【図７】
2017219645.tif 000027
【図８】
2017219645.tif 000028
【図９】
2017219645.tif 000029